(57)【特許請求の範囲】
【請求項１】
貯湯槽を備えており、貯湯槽外にヒータと、ポンプと、貯湯槽下部よりポンプに至る入水管と、ポンプとヒータ間を連絡する出水管と、ヒータから貯湯槽最上部へ至る出湯管とを設け、前記貯湯槽外の上部に前記ヒータ、出水管、ポンプを一体に固定する固定金具と、前記出湯管中および入水管中にそれぞれ固定金具を着脱できる接続部を設けた電気温水器。
【請求項２】
請求項１記載に係るヒータはヒータフランジ部とそのフランジ部近傍に設けた無発熱部を形成したヒータ素子と、最下部にケースフランジ部および上部に出湯管を有する筒状のヒータケースとを有するヒータユニットであって、前記ヒータケース下部からヒータ素子を挿入して形成される無発熱部より上部の前記ヒータケース部分に出水管を設けた請求項１記載の電気温水器。
【発明の詳細な説明】
【０００１】
【産業上の利用分野】
本発明は貯湯式の電気温水器に関するものである。
【０００２】
【従来の技術】
従来の電気温水器は図３に示すように、断熱材に覆われた貯湯槽１、貯湯槽１の内下部にヒータ２、貯湯槽１の最下部に給水管３、最上部に給湯管４を設けている。５はヒータ２の通電を制御する制御器で、６は排水弁７を介して貯湯槽１内の湯水を排水する排水管である。８は給水弁である。
【０００３】
上記構成において、その動作を説明すると、給水管３で貯湯槽１内に給水された水が満杯となった状態で、制御器５によりヒータ２が通電され、貯湯槽１内の水を均一に所定の温度まで沸き上げ温水にする。
【０００４】
そして貯湯槽１内の温水は給湯管４より出湯し使用される。使用された温水量だけ給水管３から水が補給される。
【０００５】
【発明が解決しようとする課題】
しかしながら上記従来の構成では、効率よく貯湯槽の水全体を温水にするためにヒータ２が貯湯槽１の下部にあり、したがってヒータ２の劣化、故障などによりヒータ２を交換する場合には、給水弁８を閉じ、排水弁７を開き、貯湯槽１のお湯または水を排水管６からほとんど全量排水しなければならず、湯水の無駄が多い。またヒータ２を交換した後再度通電しても、水を加熱してお湯にするには相当時間を要しお湯をすぐ使用することができず使い勝手が悪いなどの問題があった。
【０００６】
またヒータ２が貯湯槽１の下部にあるため、ヒータ２の交換や、電気温水器製造時のヒータ２の取り付けなどの作業がしにくく、作業効率の低下を招いていた。
【０００７】
本発明は上記課題を解決するもので、ヒータの点検や交換時に、貯湯槽のお湯または水の排出をできる限り少なくし、湯水の無駄を少なくし、かつ電気温水器製造時のヒータの取りつけなどの組み立て作業を容易にし、省作業時間を図ることにある。
【０００８】
また、第２の目的は簡単に掃除ができかつ、信頼性の高いヒータ部の構成を得ることにある。
【０００９】
【課題を解決するための手段】
請求項１記載に係る発明は、貯湯槽を備えており、貯湯槽外に、ヒータと、ポンプと、貯湯槽下部よりポンプに至る入水管と、ポンプとヒータ間を連絡する出水管と、ヒータから貯湯槽最上部へ至る出湯管とを設け、前記貯湯槽外の上部に、前記ヒータ、出水管、ポンプを一体に固定する固定金具と、前記出湯管中および入水管中にそれぞれ固定金具を着脱できる接続部を設けたものである。
【００１０】
また、請求項２記載に係る発明は、請求項１記載に係るヒータはヒータ素子とヒータケースとによりヒータユニットを構成し、前記ヒータ素子は、ヒータフランジ部とそのフランジ部近傍に設けた無発熱部を有し、前記ヒータケースは最下部のケースフランジ部と上部の出湯管とを有し、ヒータケースの下部からヒータ素子を挿入して形成される無発熱部より上部のヒータケース部分に出水管を設けたものである。
【００１１】
【作用】
本発明は上記構成によって、請求項１記載に係る発明では、通常の運転時は貯湯槽上部に設けたポンプで貯湯槽下部の水を入水管、出水管を介してヒータに導き、ヒータで温水とし、温水を出湯管で貯湯槽上部へ流入させ、貯湯槽上部から順に温水を蓄えることができる。したがって貯湯槽のお湯を排水し水から沸きあげる場合でもすぐお湯が得られる。またヒータ、ポンプの点検や交換時にはヒータ内ならびに、ポンプ内のお湯または水を排水すればよいため、貯湯槽のお湯または水を最少排水にとどめることができる。
【００１２】
また、固定金具でヒータ、ポンプをユニット化し貯湯槽外上部に設け、かつ２箇所の接続部によって接続できるから、作業者が立ったままヒータ、ポンプ交換および温水器製造時のヒータ取り付けなどの組み立てができる。
【００１３】
さらに、請求項２記載に係る発明では、ヒータケース下部からヒータ素子を挿入して形成される無発熱部に水のごみおよびスケールなどが溜るため、出水管からヒータユニット内へ流入する水が確保され、ヒータ素子の発熱部と水の熱交換を効率よく行うことができ、ヒータの信頼性も向上する。
【００１４】
【実施例】
以下本発明の実施例を図１を参照して説明する。
【００１５】
図１において、図３と同一符号は同一部材を示し、同一機能を有しているので、詳細な説明は省略し、異なる点を説明する。
【００１６】
図１において、貯湯槽１外にヒータ９、ポンプ１０を設け、貯湯槽１の下部よりポンプ１０に至る入水管１１と、ポンプ１０とヒータ９を連絡する出水管１２とヒータ９から貯湯槽１の最上部へ至る出湯管１３とを設け、前記ヒータ９、出水管１２、ポンプ１０を貯湯槽１外の上方部に設ける構成としている。
【００１７】
また、１４はヒータ９、出水管１２、ポンプ１０を一体に固定する固定金具で１５，１６は出湯管１３中および入水管１１中にそれぞれ設け、固定金具１４を着脱できる接続部である。また固定金具１４は温水器の前面上部にあたる部分に設けている。
【００１８】
上記構成において、その動作を説明すると、通常の沸き上げ運転時は貯湯槽１上部にあたる部分に設けたポンプ１０で貯湯槽１下部の水を入水管１１、出水管１２を介してヒータ９に導き、ヒータ９で加熱して温水とし、温水を出湯管１３で貯湯槽１の上部へ流入させ、貯湯槽１の上部から順に温水を蓄える。
【００１９】
またヒータ９、ポンプ１０の点検には、ヒータ内ならびにポンプ内のお湯又は水を排水して点検し、ヒータ９やポンプ１０の交換時は接続部１５，１６、出水管１２、出湯管１３などをはずし作業する。
【００２０】
この実施例の構成によれば、ヒータ９、ポンプ１０の点検や交換時において、貯湯槽１のお湯または水を最少排水にとどめることができ、湯水の無駄を少なくできる。また貯湯槽１のお湯を排水し水から沸きあげる場合でもすぐお湯が得られ使い勝手が向上する。
【００２１】
また、温水器組み立て時は、まず固定金具１４にヒータ９、ポンプ１０を取り付け、次にヒータ９とポンプ１０との間を出水管１２で接続する。そして接続部１５，１６により出湯管１３、入水管１１に接続する。さらに上記固定金具１４を貯湯槽外の温水器外装１７に固定する。
【００２２】
この実施例の構成によって、作業者は立ったままヒータ９、ポンプ１０の点検、交換および温水器の組み立てができ、短時間に作業を終えることができる。
【００２３】
さらに固定金具１４を温水器外装１７に固定するから、温水器輸送時、地震時のヒータ９、ポンプ１０に対する振動を抑え、破損を防止することができる。
【００２４】
次にヒータ部の構成について図２を参照して説明する。
図２より、ヒータ９をヒータ素子１８とヒータケース１９からなるヒータユニット２０で構成し、ヒータ素子１８は発熱部２１とヒータフランジ部２２とそのフランジ部２２の近傍に無発熱部２３を有している。ヒータケース１９は最下部にケースフランジ部２４および上部に出湯管１３とを有する円筒状とし、かつヒータケース１９の下部からヒータ素子１８を挿入して形成されるヒータの無発熱部２３より上部のヒータケース１９の部分に出水管１２を設けている。
【００２５】
この実施例の構成によって、ヒータケース１９の下部からヒータ素子１８を挿入して形成されるヒータの無発熱部２３に水のごみおよびスケールなどが溜るため、出水管１２からヒータユニット２０内へ流入する水が確保され、ヒータ素子１８の発熱部２１と水の熱交換が疎外されず効果的に行うことができ、ヒータ素子１８の信頼性も向上する。またヒータ素子１８とヒータケース１９はヒータフランジ部２２、ケースフランジ部２４で結合されているからヒータ素子１８をヒータケース１９の下部から着脱ができ、簡単に掃除ができる。
【００２６】
また上記構成によりポンプ（図示せず）に水のごみおよびスケールなどが溜ることが少なく、ポンプの信頼性も向上する。
【００２７】
【発明の効果】
以上説明したように本発明の電気温水器は、貯湯槽外にヒータと、ポンプと、貯湯槽の下部よりポンプに至る入水管と、ポンプとヒータ間を連絡する出水管と、ヒータから貯湯槽最上部へ至る出湯管とを設け、貯湯槽外上部に前記ヒータ、出水管、ポンプを一体に固定する固定金具と、前記出湯管中および入水管中にそれぞれ固定金具を着脱できる接続部を設けた構成とすることにより、通常の運転時は貯湯槽上部に設けたポンプで貯湯槽下部の水を入水管、出水管を介してヒータに導き、ヒータで温水とし、温水を出湯管で貯湯槽上部へ流入させ、貯湯槽上部から順に温水を蓄える。したがって貯湯槽のお湯を排水し水から沸きあげる場合でもすぐお湯が得られる。
【００２８】
またヒータ、ポンプの点検や交換時にはヒータ内やポンプ内のお湯または水を排水すればよいため、貯湯槽のお湯または水を最少排水にとどめることができ、湯水の無駄を少なくした電気温水器を提供できる。
【００２９】
また、固定金具でヒータ、ポンプをユニット化し貯湯槽外上部に設け、かつ２箇所の接続部によって接続できるから、作業者が立ったままヒータ、ポンプの点検、交換および温水器の組み立てができ、短時間に作業を終えることができ、作業効率が向上する。
【００３０】
また固定金具を温水器外装に固定するから、温水器輸送時、地震時のヒータ、ポンプに対する振動を抑え、破損を防止できる。
【００３１】
さらに、ヒータをヒータ素子とヒータケースを有するヒータユニットで構成し、ヒータ素子はヒータフランジ部とそのフランジ部近傍に無発熱部を有し、ヒータケースは最下部にケースフランジ部および上部に出湯管とを有する円筒状とし、ヒータケース下部からヒータ素子を挿入して形成されるヒータの無発熱部より上部のヒータケース部分に出水管を設けることにより、ヒータケース下部からヒータ素子を挿入して形成されるヒータの無発熱部に水のごみおよびスケールなどが溜るため、出水管からヒータユニット内へ流入する水が確保され、ヒータの発熱部と水の熱交換が疎外されず効果的に行うことができ、ヒータの信頼性も向上する。またヒータ素子はヒータケース下部から着脱ができ、簡単に掃除ができる。
【図面の簡単な説明】
【図１】本発明の一実施例における電気温水器の構成図
【図２】本発明の一実施例における電気温水器用ヒータユニットの断面図
【図３】従来の電気温水器の構成図
【符号の説明】
１  貯湯槽
９  ヒータ
１０  ポンプ
１１  入水管
１２  出水管
１３  出湯管
１４  固定金具
１５，１６  接続部
１７  温水器外装（貯湯槽外）
１８  ヒータ素子
１９  ヒータケース
２０  ヒータユニット
２１  発熱部
２２  ヒータフランジ部
２３  無発熱部
２４  ケースフランジ部
【図１】
0003549170.tif 000002
【図２】
0003549170.tif 000003
【図３】
0003549170.tif 000004